(57)【特許請求の範囲】
【請求項１】
船体の上部方向に突出し、船体の長さ方向に移動可能な複数の側壁と、
前記複数の側壁の上部に位置するデッキハウスと、
少なくとも前記デッキハウスの下部面及び前記複数の側壁の対向面を介して取り囲まれ、前記船体の長さ方向にオープンした荷物積載部とを備え、
前記船体の長さ方向に所定の長さを有する前記複数の側壁は、内部の少なくとも一部に居住空間を有する、荷物積載船舶。
【請求項２】
前記複数の側壁は、前記船体に陥没するか、または前記船体から突出し、前記移動側壁の移動を支持する移動支持部を備えることを特徴とする請求項１に記載の荷物積載船舶。
【請求項３】
前記移動支持部は、
その両端に前記移動側壁の移動の止めを支援するストッパーを有することを特徴とする請求項２に記載の荷物積載船舶。
【請求項４】
前記デッキハウス及び前記移動側壁が、一体に形成されていることを特徴とする請求項３に記載の荷物積載船舶。
【請求項５】
移動過程において前記移動側壁の外れ程度を提供する動作認識センサをさらに備えることを特徴とする請求項４に記載の荷物積載船舶。
【請求項６】
前記デッキハウスは、
少なくともその両下端に形成される水密隔壁を備えることを特徴とする請求項５に記載
の荷物積載船舶。
【請求項７】
前記デッキハウスは、
少なくともその両下端に形成される水密隔壁を備えることを特徴とする請求項４に記載
の荷物積載船舶。
【請求項８】
前記デッキハウスが、前記移動側壁上で前記船体の長さ方向に移動可能であることを特徴とする請求項３に記載の荷物積載船舶。
【請求項９】
移動過程において前記移動側壁の外れ程度を提供する動作認識センサをさらに備えることを特徴とする請求項８に記載の荷物積載船舶。
【請求項１０】
前記デッキハウスは、
少なくともその両下端に形成される水密隔壁を備えることを特徴とする請求項９に記載の荷物積載船舶。
【請求項１１】
前記デッキハウスは、
少なくともその両下端に形成される水密隔壁を備えることを特徴とする請求項８に記載の荷物積載船舶。
【請求項１２】
前記デッキハウス及び前記移動側壁が、一体に形成されていることを特徴とする請求項２に記載の荷物積載船舶。
【請求項１３】
移動過程において前記移動側壁の外れ程度を提供する動作認識センサをさらに備えることを特徴とする請求項１２に記載の荷物積載船舶。
【請求項１４】
前記デッキハウスは、
少なくともその両下端に形成される水密隔壁を備えることを特徴とする請求項１３に記載の荷物積載船舶。
【請求項１５】
前記デッキハウスが、前記移動側壁上で前記船体の長さ方向に移動可能であることを特徴とする請求項２に記載の荷物積載船舶。
【請求項１６】
移動過程において前記移動側壁の外れ程度を提供する動作認識センサをさらに備えることを特徴とする請求項１５に記載の荷物積載船舶。
【請求項１７】
前記デッキハウスは、
少なくともその両下端に形成される水密隔壁を備えることを特徴とする請求項１６に記載の荷物積載船舶。
【請求項１８】
前記デッキハウス及び前記移動側壁が、一体に形成されていることを特徴とする請求項１に記載の荷物積載船舶。
【請求項１９】
移動過程において前記移動側壁の外れ程度を提供する動作認識センサをさらに備えることを特徴とする請求項１８に記載の荷物積載船舶。
【請求項２０】
前記デッキハウスは、
少なくともその両下端に形成される水密隔壁を備えることを特徴とする請求項１９に記載の荷物積載船舶。
【請求項２１】
前記デッキハウスが、前記移動側壁上で前記船体の長さ方向に移動可能であることを特徴とする請求項１に記載の荷物積載船舶。
【請求項２２】
移動過程において前記移動側壁の外れ程度を提供する動作認識センサをさらに備えることを特徴とする請求項２１に記載の荷物積載船舶。
【請求項２３】
前記デッキハウスは、
少なくともその両下端に形成される水密隔壁を備えることを特徴とする請求項２２に記載の荷物積載船舶。
【発明の詳細な説明】
【技術分野】
【０００１】
本発明は、荷物積載技術に関し、さらに詳細には、船舶の荷物積載量を極大化させることができる荷物積載船舶及び荷物積載方法に関する。
【背景技術】
【０００２】
一般に、船舶の居住区は、機関室の上部（１−Ｉｓｌａｎｄ  ｔｙｐｅ）または船体中央部の船倉の上部（２−Ｉｓｌａｎｄ  ｔｙｐｅ）に位置し、船体と一体に熔接されており、長期間航海する船員のために各種の生活設備を取り揃えている。
【０００３】
下記の特許文献１（韓国公開特許第１０−２０１０−００６９９８２号）は、居住区を船舶の中央部に配置し、居住区の下部に燃料油タンクを配置する機関室区域と分離、離隔配置された居住区を有するコンテナ船舶を開示する。このようなコンテナ船舶は、航海時に船橋視野が向上し、同じ大きさの船舶よりコンテナを甲板の上部に多く積載でき、燃料油タンクを二重保護することができる。また、機関室から発生する振動騷音の影響が減少して、機関室区域に隣接する居住区を有する船舶に比べて安楽な船室を維持できる。
【０００４】
下記の特許文献２（韓国公開特許第１０−２０１２−０１０５３０６号）は、コンテナ船の最適設計のために、船室居住区と燃料タンクを互いに異なる区画に配置して、船室居住区の下部にコンテナを積載できるコンテナ船の船室居住区下部のコンテナ積載方法及び装置を開示する。このような積載方法は、コンテナ船の最適設計のための設計自由度を高くしながら積載できるコンテナの総個数の減少は最小化できる。
【０００５】
居住区の下部空間は、一般に燃料油またはその他機器類（例えば、電線等）が配置され、居住区の周辺と共に余裕空間が相存して空間活用面において効率的でない。
【先行技術文献】
【特許文献】
【０００６】
【特許文献１】韓国公開特許第１０−２０１０−００６９９８２号
【特許文献２】韓国公開特許第１０−２０１２−０１０５３０６号
【発明の概要】
【発明が解決しようとする課題】
【０００７】
本発明の一実施形態は、船舶の荷物積載量を極大化させることができる荷物積載船舶を提供しようとする。
【０００８】
本発明の一実施形態は、船舶のデッキハウス下端を船舶の長さ方向に開口して荷物積載量を極大化させることができる荷物積載船舶を提供しようとする。このために、本発明の一実施形態は、少なくともデッキハウスを船舶の長さ方向へ移動させることができる。
【０００９】
本発明の一実施形態は、船舶の危急状況発生時に自力で浮上できるデッキハウスを備えた荷物積載船舶を提供しようとする。
【課題を解決するための手段】
【００１０】
実施形態において、荷物積載船舶は、船体の上部方向に突出した複数の側壁と、前記複数の側壁の上部に位置するデッキハウスと、少なくとも前記デッキハウスの下部面及び前記複数の側壁の対向面を介して取り囲まれ、前記船体の長さ方向にオープンした荷物積載部とを備える。
【００１１】
一実施形態において、前記複数の側壁は、前記デッキハウスと共に前記船体の長さ方向へ移動できる移動側壁と、前記船体に陥没するか、または前記船体から突出し、前記移動側壁の移動を支持する移動支持部とを備える。
【００１２】
前記移動支持部は、前記船体の移動方向に沿って前記船体の側面に配置され、前記移動側壁の移動距離を限定することができる。前記移動支持部は、その両端に前記移動側壁の移動の止めを支援するストッパーを有することができる。
【００１３】
前記デッキハウス及び前記移動側壁は、一体に形成されて前記移動支持部に向かって折り曲げられることができる。前記移動側壁は、その少なくとも一部において居住区（ａｃｃｏｍｍｏｄａｔｉｏｎ）を備えることができる。前記デッキハウス及び前記移動支持部は、動輪、スライディングレールまたはラックピニオンギアを介して前記移動を支援することができる。
【００１４】
一実施形態において、荷物積載船舶は、前記移動過程において前記移動側壁の外れ程度を提供する動作認識センサをさらに備えることができる。
【００１５】
前記複数の側壁は、前記船体の長さ方向に前記デッキハウスの移動を支持し、前記デッキハウスの下端に形成された移動支持部を備えることができる。
【００１６】
一実施形態において、前記デッキハウスは、少なくともその両下端に形成される水密隔壁を備えることができる。前記デッキハウスは、前記水密隔壁に一定大きさ以上の浮力が加えられると、前記複数の側壁から分離されることができる。前記荷物積載部は、前記船体の上部面を開閉できるハッチカバーを介して船倉と分離されることができる。
【００１７】
実施形態において、荷物積載船舶は、船体の長さ方向に沿ってデッキハウス（複数の側壁の上部に位置する）を第１位置から第２位置へ移動させるステップと、前記第１位置にある少なくとも前記デッキハウスの下部面及び前記複数の側壁の対向面を介して取り囲まれた荷物積載空間上に、荷物を積載するステップと、前記デッキハウスを前記第２位置から前記第１位置へ復帰させるステップとを含む。
【００１８】
一実施形態において、前記デッキハウスを第１位置から第２位置へ移動させるステップは、前記デッキハウスを結合した前記複数の側壁のうち、移動側壁を移動させるステップとを含むことができる。
【００１９】
前記荷物を積載するステップは、ハッチカバーを介して前記船体の上部面をオープンして、船倉に前記荷物を積載するステップと、前記ハッチカバーを閉鎖して前記船体の上部面に前記荷物を積載するステップとを含むことができる。
【発明の効果】
【００２０】
本発明の一実施形態による荷物積載船舶は、船舶の荷物積載量を極大化させることができる。
【００２１】
本発明の一実施形態による荷物積載船舶は、船舶のデッキハウス下端を船舶の長さ方向に開口して荷物積載量を極大化させることができる。このために、本発明の一実施形態による荷物積載船舶は、少なくともデッキハウスを船舶の長さ方向へ移動させることができる。
【００２２】
本発明の一実施形態による荷物積載船舶は、船舶の危急状況発生時に自力で浮上できるデッキハウスを備えることができる。
【図面の簡単な説明】
【００２３】
【図１Ａ】本発明の一実施形態による荷物積載船舶を説明する図である。
【図１Ｂ】本発明の一実施形態による荷物積載船舶を説明する図である。
【図１Ｃ】本発明の一実施形態による荷物積載船舶を説明する図である。
【図１Ｄ】本発明の一実施形態による荷物積載船舶を説明する図である。
【図２】本発明の他の一実施形態による荷物積載船舶を説明する図である。
【図３】本発明のさらに他の一実施形態による荷物積載船舶を説明する図である。
【図４Ａ】図１にある荷物積載船舶を説明する断面図である。
【図４Ｂ】図１にある荷物積載船舶を説明する断面図である。
【図５】図１にある荷物積載船舶に積載された複数のカートリッジを例示する断面図である。
【図６Ａ】本発明のデッキハウス及び移動支持部の移動を支援する移動部材を例示する図である。
【図６Ｂ】本発明のデッキハウス及び移動支持部の移動を支援する移動部材を例示する図である。
【図７Ａ】本発明のデッキハウスに形成された水密隔壁による浮遊機能を説明する図である。
【図７Ｂ】本発明のデッキハウスに形成された水密隔壁による浮遊機能を説明する図である。
【図８Ａ】図２にある荷物積載船舶での荷物積載過程を説明する図である。
【図８Ｂ】図２にある荷物積載船舶での荷物積載過程を説明する図である。
【図８Ｃ】図２にある荷物積載船舶での荷物積載過程を説明する図である。
【図８Ｄ】図２にある荷物積載船舶での荷物積載過程を説明する図である。
【図８Ｅ】図２にある荷物積載船舶での荷物積載過程を説明する図である。
【図８Ｆ】図２にある荷物積載船舶での荷物積載過程を説明する図である。
【発明を実施するための形態】
【００２４】
以下、添付した図面を参考にして本発明の実施形態について、本発明が属する技術分野における通常の知識を有した者が容易に実施できるように詳細に説明する。しかしながら、本発明は、様々な形態で具現化されることができ、ここで説明する実施形態に限定されない。そして、図面において本発明を明確に説明するために説明と関係のない部分は省略しており、明細書全般にわたって類似の部分に対しては類似の図面符号を付した。
【００２５】
図１は、本発明の一実施形態による荷物積載船舶を説明する図である。
【００２６】
図１に示すように、荷物積載船舶１００は、船体１１０、複数の側壁１２０、デッキハウス１３０及び荷物積載部１４０を備える。
【００２７】
船体１１０は、波止場ないし港湾に設置された外部クレインを介して複数の荷物１０を積載できる複数の船倉を備える。一実施形態において、複数の船倉は、船体１１０の甲板下から横方向へ設置される船体横撃壁により区分されることができる。
【００２８】
船体１１０は、その上部（すなわち、甲板）の両側面に複数の側壁１２０を配置できる。すなわち、船体１１０の甲板の両側面は、複数の側壁１２０を支持することができ、両側面の長さは、複数の側壁１２０の幅より大きくありうる。
【００２９】
複数の側壁１２０は、船体１１０の上部方向に突出して両上部にそれぞれ配置される。複数の側壁１２０は、船体１１０の両上部において互いに対応する位置（すなわち、各々の前端及び後端が同じ延長線上にある）に配置されて、デッキハウス１３０を支持することができる。複数の側壁１２０は、デッキハウス１３０の一端及び他端にそれぞれ連結されて、デッキハウス１３０と一体に形成されることができる。複数の側壁１２０は、荷物積載船舶１００の種類及び大きさのうち、少なくとも一つに応じて、相異なる長さ及び幅を有するように形成されることができる。
【００３０】
一実施形態において、複数の側壁１２０は、動輪、スライディングレールまたはラック−ピニオンギアを介して移動を支援できる。例えば、複数の側壁１２０は、その下端に動輪が配置されて船体１１０の両上部に配置されたスライディングレールに沿って船体１１０の長さ方向へ移動できる。
【００３１】
0005975091.tif 000002
【００３２】
荷物積載部１４０は、少なくともデッキハウス１３０の下部面及び複数の側壁１２０の対向面を介して取り囲まれ、船体１１０の長さ方向にオープンする。荷物積載部１４０は、船体１１０の上部面を開閉できるハッチカバー１６０を介して船体１１０の内部の船倉と分離できる。一実施形態において、荷物積載部１４０は、船体１１０の長さ方向にオープンせずに船首方向または船尾方向が密閉した空間から形成されることができる。
【００３３】
一実施形態において、荷物積載船舶１００は、動作認識センサ（図示せず）をさらに備えることができる。動作認識センサ（図示せず）は、複数の側壁１２０の移動過程において複数の側壁１２０の外れ程度を提供できる。動作認識センサ（図示せず）は、デッキハウス１３０でのモニターリングを通じて制御されることができ、複数の側壁１２０の離脱及び損傷を防止できる。例えば、動作認識センサ（図示せず）は、レーザーセンサにより具現化されて、複数の側壁１２０にレーザーを送信した後、複数の側壁１２０から反射されるレーザーを受信すると、複数の側壁１２０が外れないと判断し、レーザーを受信しないと、複数の側壁１２０が外れたと判断できる。
【００３４】
図２は、本発明の他の一実施形態による荷物積載船舶を説明する図である。
【００３５】
図２に示すように、荷物積載船舶２００は、船体１１０、移動側壁２２０、移動支持部２３０、デッキハウス１３０及び荷物積載部２４０を備える。
【００３６】
船体１１０及びデッキハウス１３０は、図１にて説明した内容と同一であるから省略する。
【００３７】
移動側壁２２０は、複数の側壁１２０に備えられ、デッキハウス１３０と共に船体１１０の長さ方向へ移動できる。移動側壁２２０は、移動支持部２３０により移動が支持されることができる。移動側壁２２０は、デッキハウス１３０と一体に形成されて移動支持部２３０に向かって折り曲げられることができる。移動側壁２２０は、その少なくとも一部において居住区（ａｃｃｏｍｍｏｄａｔｉｏｎ）を備えることができる。
【００３８】
一実施形態において、移動側壁２２０は、動輪、スライディングレールまたはラックピニオンギアを介して移動を支援できる。例えば、移動側壁２２０は、その下端に動輪が配置されて移動支持部ら２３０の両上部に配置されたスライディングレールに沿って船体１１０の長さ方向へ移動できる。
【００３９】
移動支持部２３０は、複数の側壁１２０に備えられ、船体１１０に陥没するか、または船体１１０から突出して移動側壁２２０の移動を支持することができる。移動支持部２３０は、船体１１０の移動方向に沿って船体１１０の側面に配置され、移動側壁２２０の移動距離を限定できる。一実施形態において、移動支持部２３０は、移動側壁２２０の長さ（すなわち、船体１１０の長さ方向に該当する）より長く形成されて、移動側壁２２０が船体１１０の長さ方向へ移動可能なように支持することができる。
【００４０】
移動支持部２３０は、その両端に移動側壁２２０の移動の止めを支援するストッパーを有することができる。ストッパーは、移動側壁２２０が船体１１０の長さ方向に沿って第１位置から第２位置へ移動すると、第２位置において移動側壁２２０の移動を止めることができる。
【００４１】
荷物積載部２４０は、少なくともデッキハウス１３０の下部面、移動側壁２２０及び移動支持部２３０の対向面を介して取り囲まれ、船体１１０の長さ方向にオープンする。
【００４２】
一実施形態において、荷物積載船舶２００は、動作認識センサ（図示せず）をさらに備えることができる。動作認識センサ（図示せず）は、移動側壁２２０の移動過程において移動側壁２２０の外れ程度を提供できる。動作認識センサ（図示せず）は、デッキハウス１３０でのモニターリングを介して制御でき、移動側壁２２０の離脱及び損傷を防止できる。例えば、動作認識センサ（図示せず）は、レーザーセンサにより具現化されて、移動側壁２２０にレーザーを送信した後、移動側壁２２０から反射されるレーザーを受信すると、移動側壁２２０が外れないと判断し、レーザーを受信しないと、移動側壁２２０が外れたと判断できる。
【００４３】
図３は、本発明のさらに他の一実施形態による荷物積載船舶を説明する図である。
【００４４】
図３に示すように、荷物積載船舶３００は、船体１１０、複数の側壁３２０、デッキハウス１３０及び荷物積載部３４０を備える。
【００４５】
船体１１０及びデッキハウス１３０は、図１にて説明した内容と同一であるので、省略する。
【００４６】
複数の側壁３２０は、船体１１０の長さ方向にデッキハウス１３０の移動を支持し、デッキハウス１３０の下端に形成された移動支持部を備えることができる。複数の側壁３２０は、デッキハウス１３０の長さ（すなわち、船体１１０の長さ方向に該当する）より長く形成されて、デッキハウス１３０が船体１１０の長さ方向へ移動可能なように支持することができる。複数の側壁３２０は、その両端にデッキハウス１３０の移動の止めを支援するストッパーを有することができる。
【００４７】
一実施形態において、複数の側壁３２０は、動輪、スライディングレールまたはラック−ピニオンギアを介して移動を支援できる。例えば、複数の側壁３２０は、その上部にスライディングレールが配置されてデッキハウス１３０の両下部に配置された動輪がスライディングレールに沿って船体１１０の長さ方向へ移動するようにすることができる。
【００４８】
荷物積載部３４０は、少なくともデッキハウス１３０の下部面及び複数の側壁３２０の対向面により取り囲まれ、船体１１０の長さ方向にオープンする。
【００４９】
一実施形態において、荷物積載船舶３００は、動作認識センサ（図示せず）をさらに備えることができる。動作認識センサ（図示せず）は、複数の側壁３２０の移動過程において複数の側壁３２０の外れ程度を提供できる。動作認識センサ（図示せず）は、デッキハウス１３０でのモニターリングにより制御でき、複数の側壁３２０の離脱及び損傷を防止できる。例えば、動作認識センサ（図示せず）は、レーザーセンサにより具現化されて、複数の側壁３２０にレーザーを送信した後、複数の側壁３２０から反射されるレーザーを受信すると、複数の側壁３２０が外れないと判断し、レーザーを受信しないと複数の側壁３２０が外れたと判断できる。
【００５０】
一方、前記図１、２及び３にて説明した船体１１０、複数の側壁１２０、３２０、移動側壁２２０、移動支持部２３０及びデッキハウス１３０の形状は、一つの例に過ぎず、本発明の権利範囲を限定しない。また、船体１１０、複数の側壁１２０、３２０、移動側壁２２０、移動支持部２３０及びデッキハウス１３０は、船舶の設計要件によって大きさ、形状などの変更が可能である。
【００５１】
図４は、図１にある荷物積載船舶を説明する断面図である。
【００５２】
図４に示すように、荷物積載船舶１００は、ハッチ１５０及びハッチカバー１６０が配置されるか、または配置されない。図４の（ａ）は、ハッチ１５０及びハッチカバー１６０が配置された荷物積載船舶１００の断面図を示し、図４の（ｂ）は、ハッチ１５０及びハッチカバー１６０が配置されない荷物積載船舶１００の断面図を示す。
【００５３】
ハッチ１５０は、複数の荷物１０を船倉に積載するために船体
１１０の上部（すなわち、最上甲板）に形成された開口部に該当し、その上部にハッチカバー１６０が配置される。
【００５４】
ハッチカバー１６０は、ハッチ１５０の上部に形成されて荷物積載部１４０と船倉とを分離できる。ハッチカバー１６０は、ハッチ１５０を開閉する装置であって、鋼材から製作されることができる。一実施形態において、ハッチカバー１６０は、外部衝撃から安全なように充分の強度を有し、水密（ここで、水密は、機械または装置のある部分に満たされた水が外部に漏れずに密封している状態に該当する）が良好に製作されることができる。
【００５５】
ハッチカバー１６０は、機械により作動されて迅速な開閉が可能なように具現化されることができる。例えば、ハッチカバー１６０は、ポンツーンタイプ（Ｐｏｎｔｏｏｎ  Ｔｙｐｅ）、シングルフルタイプ（Ｓｉｎｇｌｅ  Ｔｙｐｅ）、折り畳みタイプ（Ｆｏｌｄｉｎｇ  Ｔｙｐｅ）またはローリングタイプ（Ｒｏｌｌｉｎｇ  Ｔｙｐｅ）のうちの何れか一つにより具現化されることができる。
【００５６】
荷物の積載過程は、ハッチ１５０及びハッチカバー１６０が配置された荷物積載船舶１００とハッチ１５０及びハッチカバー１６０が配置されない荷物積載船舶１００とに同様に適用されることができる。
【００５７】
図５は、図１にある荷物積載船舶に積載された複数のカートリッジを例示する断面図である。
【００５８】
図５に示すように、複数の船倉は、複数の荷物１０または交換可能な複数のカートリッジ２０のうちの少なくとも一つが積載されることができる。複数のカートリッジ２０は、船舶の運航に使用される燃料（例えば、ＬＮＧ乃至油類）が貯蔵され、デッキハウス１３０の下部に形成された船倉に積載されて海上で船舶に燃料を供給するバンカーリング（Ｂｕｎｋｅｒｉｎｇ）過程が省略されることができる。一実施形態において、複数のカートリッジ２０は、一つずつ交換できるように積載されることができる。
【００５９】
図６は、本発明のデッキハウス及び移動支持部の移動を支援する移動部材を例示する図面である。
【００６０】
図６に示すように、移動部材は、動輪、スライディングレールまたはラックピニオンギアにより具現化されることができる。以下、移動部材は、動輪及びスライディングレールにより具現されると仮定して説明する。
【００６１】
スライディングレール６１０は、一定高さに突出してＨ形状の動輪６２０がその上部に沿って移動可能なようにすることができる。スライディングレール６１０は、レールクランプ（Ｒａｉｌ  Ｃｌａｍｐ）を介して船体１１０の上部、移動支持部２３０の上部または複数の側壁３２０に固定されることができる。
【００６２】
動輪６２０は、複数の側壁１２０、移動側壁２２０またはデッキハウス１３０の両下部のそれぞれに形成された一定深さの溝内部に収容されて特定軸（図示せず）を介して複数の側壁１２０、移動側壁２２０またはデッキハウス１３０に連結されることができる。動輪６２０は、スライディングレール６１０に沿って船体１１０の長さ方向に滑らかに動くことができるように複数構成されることができる。
【００６３】
図７は、本発明のデッキハウスに形成された水密隔壁による浮遊機能を説明する図である。
【００６４】
図７に示すように、デッキハウス１３０は、少なくともその両下端に水密隔壁７１０が形成されて複数の側壁１２０から分離されることができる。水密隔壁７１０は、デッキハウス１３０と複数の側壁１２０との境界面に形成されて、その内部を区画できる。水密隔壁７１０は、複数の側壁１２０に浸水が発生して一定大きさ以上の浮力が加えられると、複数の側壁１２０との結束が解体されて、複数の側壁１２０からデッキハウス１３０を分離させることができる。
【００６５】
デッキハウス１３０は、複数の側壁１２０から分離された後、水密隔壁７１０により海水に浮遊できる。
【００６６】
図８は、図２にある荷物積載船舶での荷物積載過程を説明する図である。
【００６７】
図８に示すように、荷物積載船舶２００に荷物１０を積載する過程は、荷物積載部２４０及び荷物積載部２４０の下部船倉を除いた残りのすべての空間に荷物１０が積載されたと仮定して説明する。
【００６８】
船体１１０の長さ方向に沿ってデッキハウス１３０（複数の側壁の上部に位置する）を第１位置から第２位置へ移動させる（ａ）。
【００６９】
ハッチカバーを介して船体１１０の上部面をオープンして、第１位置にある少なくともデッキハウス１３０の下部面にある船倉に荷物１０を積載する（ｂ）。
【００７０】
ハッチカバーを閉鎖して第１位置にある少なくともデッキハウス１３０の下部面及び複数の側壁２２０、２３０の対向面を介して取り囲まれた荷物積載空間上に荷物を積載する（ｃ）。
【００７１】
デッキハウス１３０を第２位置から第１位置へ復帰させる（ｄ）。
【００７２】
ハッチカバーを介して船体１１０の上部面をオープンして、第２位置にある少なくともデッキハウス１３０の下部面にある船倉に荷物１０を積載する（ｅ）。
【００７３】
ハッチカバーを閉鎖して第２位置にある少なくともデッキハウス１３０の下部面及び複数の側壁２２０、２３０の対向面を介して取り囲まれた荷物積載空間上に荷物を積載する（ｆ）。
【００７４】
一実施形態において、荷物積載船舶２００は、デッキハウス１３０の干渉を避けて荷物１０を積載できるように適切な表示またはガイドを含むことができる。
【００７５】
以上、本出願の好ましい実施形態を参照して説明したが、該当技術分野の熟練した当業者は、下記の特許請求の範囲に記載された本発明の思想及び領域から外れない範囲内で本出願を多様に修正及び変更させることができることを理解できるはずである。
【符号の説明】
【００７６】
１００            荷物積載船舶
２００            荷物積載船舶
３００            荷物積載船舶
１１０            船体
１２０            複数の側壁
３２０            複数の側壁
１３０            デッキハウス
１４０            荷物積載部
２４０            荷物積載部
３４０            荷物積載部
１５０            ハッチ
１６０            ハッチカバー
２２０            移動側壁
２３０            移動支持部
６１０            移動部材
６２０            移動部材
７１０            水密隔壁
１０            荷物
２０            カートリッジ
【図１Ａ】
0005975091.tif 000003
【図１Ｂ】
0005975091.tif 000004
【図１Ｃ】
0005975091.tif 000005
【図１Ｄ】
0005975091.tif 000006
【図２】
0005975091.tif 000007
【図３】
0005975091.tif 000008
【図４Ａ】
0005975091.tif 000009
【図４Ｂ】
0005975091.tif 000010
【図５】
0005975091.tif 000011
【図６Ａ】
0005975091.tif 000012
【図６Ｂ】
0005975091.tif 000013
【図７Ａ】
0005975091.tif 000014
【図７Ｂ】
0005975091.tif 000015
【図８Ａ】
0005975091.tif 000016
【図８Ｂ】
0005975091.tif 000017
【図８Ｃ】
0005975091.tif 000018
【図８Ｄ】
0005975091.tif 000019
【図８Ｅ】
0005975091.tif 000020
【図８Ｆ】
0005975091.tif 000021